(57)【要約】      （修正有）【課題】複数機種の携帯機器の外部接続端子を各別に二つの充電コネクタに接続して充電することができるものでありながら、これら外部接続端子の二つの充電コネクタへの同時接続による充電を回避することで、充電コネクタの排他使用を可能にして、内蔵バッテリーの安全面や充電管理面の保全を実現できる携帯機器用充電装置を提供する。【解決手段】携帯機器用充電装置１は、電源コネクタ４を電源に接続し、充電コネクタ２を携帯電話機ＰＡの外部接続端子ｐａに接続し、充電コネクタ３を携帯電話機の外部接続端子に接続して、それらの内蔵電池を充電する。携帯機器用充電装置１は、構造が互いに異なる充電コネクタ２，３を突設した本体部５と、該本体部５に進退可能に外嵌したカバー体６とを備え、カバー体６の進退で各充電コネクタ２，３を交互に突没させて、各充電コネクタ２，３の排他使用を可能に構成する。【選択図】図１
0003166075.tif 000002
【実用新案登録請求の範囲】
【請求項１】
電源コネクタを電源に接続し、充電コネクタを携帯機器の外部接続端子に接続して、前記携帯機器の内蔵電池を充電する携帯機器用充電装置であって、
該携帯機器用充電装置は、電源コネクタと、該電源コネクタと電気的に接続された構造が互いに異なる複数の充電コネクタを突設した本体部と、この本体部に進退可能に外嵌されたカバー体とを備え、該カバー体の進退により前記複数の充電コネクタが交互に突没するように構成されてなることを特徴とする携帯機器用充電装置。
【請求項２】
請求項１に記載した携帯機器用充電装置において、
前記カバー体を前記複数の充電コネクタが交互に突没する位置のそれぞれで前記本体部に位置決めし、かつ、前記カバー体を、前記複数の充電コネクタのそれぞれを前記外部接続端子への接続不能な位置で前記本体部に位置決めする位置決め機構を設けてなる携帯機器用充電装置。
【請求項３】
請求項２に記載した携帯機器用充電装置において、
前記位置決め機構は、前記本体部に連設した筒状の電源コネクタ導出部と、前記カバー体に形成されて前記筒状の電源コネクタ導出部を前記複数の位置のそれぞれで各別に保持する複数の保持部を備えた切欠部とで構成されている携帯機器用充電装置。
【考案の詳細な説明】
【技術分野】
【０００１】
本考案は、携帯機器用充電装置に係り、より詳しくは、携帯電話機，携帯音楽プレーヤーなどを含む携帯機器の内蔵バッテリーの電圧低下に際して、当該バッテリーの充電に使用する携帯機器用充電装置に関する。
【背景技術】
【０００２】
携帯電話機の内蔵バッテリーの電圧が下限レベルに低下した場合の充電は、携帯機器用充電装置の電源コネクタを家庭用電源ソケットや自動車のシガーソケットやパーソナルコンピュータ（ＵＳＢ経由）などの電源に接続し、携帯機器用充電装置の充電コネクタを携帯電話機の外部接続端子に接続することによって行われる。
【０００３】
ところで、携帯電話機の外部接続端子は、その構造がメーカや機種などによって異なる。しかし、従来の携帯機器用充電装置は、特定の携帯電話機の外部接続端子にのみ接続可能な充電コネクタを備えた構造であるため、外部接続端子の構造が異なる他機種の携帯電話機の充電に対応するには、他機種の携帯電話機の外部接続端子に接続可能な構造の充電コネクタを備えた携帯機器用充電装置が別途必要になる。そのため、使用性に劣るとともに経済的にも不利である難点があった。
【０００４】
そこで、互いに構造が異なる外部接続端子を有する複数機種の携帯電話機の充電に対応可能な互いに構造が異なる複数の充電コネクタを備えた携帯機器用充電装置が提案されている（たとえば、特許文献１参照）。
【０００５】
前記特許文献１に記載の携帯機器用充電装置は、三つの偏平状ケーシングが、上下に重ねられた状態で垂直軸回りに回動自在に連結され、各ケーシングの一端部に、異なる構造を有する携帯電話機の外部接続端子にそれぞれ接続可能な出力端子（以下の説明では、充電コネクタという）が設けられ、いずれか一つのケーシングの他端部に、各充電コネクタと電気的に接続された入力端子（以下の説明では、電源コネクタという）を設けたものである。
【０００６】
前記構成の携帯機器用充電装置によれば、充電を行うべき携帯電話機の外部接続端子に接続可能な充電コネクタが一端部に設けられたケーシングを、その充電コネクタの向きが他のケーシングの充電コネクタの向きと異なるように約９０度回動させ、回動させたケーシングの充電コネクタに前記携帯電話機の外部接続端子を接続し、電源コネクタを家庭用電源ソケット、自動車のシガーソケット、乾電池、小型蓄電池、パーソナルコンピュータ（ＵＳＢ経由）などの電源に接続することによって、携帯電話機の充電を行うことができる。つまり、一つの携帯機器用充電装置によって、互いに構造が異なる外部接続端子を有する複数機種の携帯電話機の充電に対応することができる。
【先行技術文献】
【特許文献】
【０００７】
【特許文献１】特開２００５−３５３３８５号公報
【考案の概要】
【考案が解決しようとする課題】
【０００８】
しかし、前記特許文献１に記載されている携帯機器用充電装置では、複数機種の携帯電話機の外部接続端子を各別に二つの充電コネクタに接続して、同時に充電することが許容される。このように、充電コネクタの排他使用が不能な構造であると、使用者によっては複数機種の携帯電話機の外部接続端子を同時に二つの充電コネクタに接続してしまうこともある。このようにして接続すると、携帯電話機の内蔵バッテリーの仕様によっては、安全面や充電管理面の保全が損なわれるとされている。そのため、携帯機器用充電装置に複数機種の携帯電話機を同時に接続することを回避することが推奨される。
【０００９】
本考案は上記の実情に鑑みてなされたものであって、複数機種の携帯機器の外部接続端子を各別に複数の充電コネクタに接続して充電することができるものでありながら、これら外部接続端子の複数の充電コネクタへの同時接続による充電を回避することで、充電コネクタの排他使用を可能にして、内蔵バッテリーの安全面や充電管理面の保全を実現できる携帯機器用充電装置の提供を目的とするものである。
【課題を解決するための手段】
【００１０】
前記目的を達成するために、本考案に係る携帯機器用充電装置は、電源コネクタを電源に接続し、充電コネクタを携帯機器の外部接続端子に接続して、前記携帯機器の内蔵電池を充電する携帯機器用充電装置であって、
該携帯機器用充電装置は、電源コネクタと、該電源コネクタと電気的に接続された構造が互いに異なる複数の充電コネクタを突設した本体部と、この本体部に進退可能に外嵌されたカバー体とを備え、該カバー体の進退により前記複数の充電コネクタが交互に突没するように構成されてなることを特徴としている。
【００１１】
前記構成の携帯機器用充電装置によれば、複数機種の携帯機器の外部接続端子を、複数の充電コネクタに各別に接続して充電することが可能である。ただし、前記外部接続端子の複数の充電コネクタへの接続は、カバー体の進退により交互に突没する複数の充電コネクタにおいて、突出する充電コネクタにのみ可能であって、没入している充電コネクタには不能である。つまり、前記外部接続端子の複数の充電コネクタへの同時接続による充電が回避されることで、充電コネクタの排他使用が可能になり、内蔵バッテリーの安全面や充電管理面の保全を実現することができる。
【００１２】
本考案に係る携帯機器用充電装置は、前記カバー体を前記複数の充電コネクタが交互に突没する位置のそれぞれで前記本体部に位置決めし、かつ、前記カバー体を、前記複数の充電コネクタのそれぞれを前記外部接続端子への接続不能な位置で前記本体部に位置決めする位置決め機構が設けられている。
【００１３】
これによれば、複数の充電コネクタが交互に突没する複数の位置のそれぞれで、カバー体が本体部に位置決めされることで、一つの充電コネクタを、充電を必要とする携帯機器の外部接続端子の接続可能な突出状態に保持し、かつ、他の一つの充電コネクタを、他の携帯機器の外部接続端子の接続不能な没入状態に保持して、カバー体と本体部との相対移動を阻止することができる。そのため、前記一つの充電コネクタと携帯機器の外部接続端子との接続不変の状態と、前記他の一つの充電コネクタと携帯機器の外部接続端子との接続不変の状態が確保できるとともに、確保された接続不変の状態がカバー体と本体部との相対移動によって損なわれる不都合を回避することができる。また、複数の充電コネクタのそれぞれが外部接続端子への接続不能な位置で、カバー体が本体部に位置決めされることで、複数の充電コネクタへの携帯機器の外部接続端子の接続が不能な状態を確保することもできる。
【００１４】
本考案に係る携帯機器用充電装置の前記位置決め機構は、前記本体部に連設した筒状の電源コネクタ導出部と、前記カバー体に形成されて前記筒状の電源コネクタ導出部を前記複数の位置のそれぞれで各別に保持する複数の保持部を備えた切欠部とで構成されている。
【００１５】
これによると、筒状の電源コネクタ導出部を複数の保持部により前記複数の位置のそれぞれで各別に保持する簡単で製作容易な構造によって、複数の充電コネクタと携帯機器の外部接続端子との接続不変の状態が確実に確保できるとともに、確保された接続不変の状態がカバー体と本体部との相対移動によって損なわれる不都合を確実に回避することができる。また、複数の充電コネクタへの携帯機器の外部接続端子の接続が不能な状態を確実に確保することもできる。
【考案の効果】
【００１６】
本考案に係る携帯機器用充電装置は、複数機種の携帯機器の外部接続端子を各別に複数の充電コネクタに接続して充電することができるものでありながら、これら外部接続端子の複数の充電コネクタへの同時接続による充電が回避されることにより、充電コネクタの排他使用が可能になって、内蔵バッテリーの安全面や充電管理面の保全を実現することができる。
【図面の簡単な説明】
【００１７】
【図１】本考案に係る携帯機器用充電装置の一実施形態を示し、カバー体を断面で示し、かつ、一方の充電コネクタを携帯機器の外部接続端子との接続を可能に突出した状態の正面図である。
【図２】カバー体を断面で示した図１の左側面図である。
【図３】カバー体を断面で示した図１の右側面図である。
【図４】カバー体を断面で示した図１の平面図である。
【図５】図１の底面図である。
【図６】他方の充電コネクタを他機種の携帯機器の外部接続端子との接続を可能に突出した状態の正面図である。
【図７】図６の底面図である。
【図８】二つの充電コネクタへの携帯機器の外部接続端子の接続が不能な状態を示す底面図である。
【考案を実施するための形態】
【実施例】
【００１８】
以下、本考案に係る携帯機器用充電装置の好ましい実施形態を図面に基づいて説明する。
図１は本考案に係る携帯機器用充電装置の一実施形態を示し、カバー体を断面で示し、かつ、一方の充電コネクタを携帯機器の外部接続端子との接続を可能に突出した状態の正面図、図２はカバー体を断面で示した図１の左側面図、図３はカバー体を断面で示した図１の右側面図、図４はカバー体を断面で示した図１の平面図、図５は図１の底面図、図６は他方の充電コネクタを他機種の携帯機器の外部接続端子との接続を可能に突出した状態の正面図である。
【００１９】
図１〜図６において、本実施形態に係る携帯機器用充電装置１は、複数機種の携帯電話機ＰＡ，ＰＢにおいて、一方の携帯電話機ＰＡのＦＯＭＡ（登録商標）方式の外部接続端子ｐａが接続可能な構造の一方の充電コネクタ２と、他方の携帯電話機ＰＢのｉＰｈｏｎｅ（登録商標）の外部接続端子ｐｂが接続可能な構造の他方の充電コネクタ３と、後述する電源に接続される電源コネクタ４とを備える。
【００２０】
一方の充電コネクタ２は、箱型の本体部５に装備されて該本体部５の左側面より外部に所定長さ分だけ突出し、他方の充電コネクタ３は、箱型の本体部５に装備されて該本体部５の右側面より外部に所定長さ分だけ突出しており、ＡＣコンバーターやＵＳＢ端子や自動車用のシガーソケット用のプラグ等を備える電源コネクタ４は、箱型の本体部５に装備されて該本体部５の下面に連設した筒状の電源コネクタ導出部５ａから下向きに導出されているとともに、電源コネクタ４と二つの充電コネクタ２，３とは、本体部５に内蔵されている電気回路（図示省略）によって電気的に接続されている。
【００２１】
前記本体部５には、カバー体６が左右方向への進退を可能に外嵌される。このカバー体６は、左右両端が開口した略角筒状のもので、本体部５の前後両面と上下両面に密接した状態での左右方向への進退が許容されるように、その内法が本体部５の外寸法に応じて設定されている。
【００２２】
一方、図５に示すように、携帯機器用充電装置１には、位置決め機構７が設けられている。この位置決め機構７は、カバー体６を後述する所定の三つの位置で本体部５との相対移動を不能に位置決めするためのもので、筒状の電源コネクタ導出部５ａと、カバー体６の底壁６ａに形成した前後方向の寸法が小さく、左右方向の寸法が大きい細長の切欠部８とで構成されており、この細長の切欠部８における左右両端部には、弾性を有する筒状の電源コネクタ導出部５ａを挟んで保持する第１，第２の保持部８ａ，８ｂが細長の切欠部８における前後方向の内法よりも僅かに大きい内法を有して形成されているとともに、細長の切欠部８における左右方向の中間部にも、筒状の電源コネクタ導出部５ａを挟んで保持する第３の保持部８ｃが細長の切欠部８における前後方向の内法よりも僅かに大きい内法を有して形成されている。
【００２３】
前記構成の携帯機器用充電装置１によれば、まず、図１の携帯機器用充電装置１における電源コネクタ４の先端プラグ（図示省略）を、家庭用電源ソケット、自動車のシガーソケット、パーソナルコンピュータ（ＵＳＢ経由）、乾電池、小型蓄電池などの電源（ともに図示せず）に適宜接続する。つぎに、図１、図５に示すように、カバー体６を右方向に移動させて、位置決め機構７の筒状の電源コネクタ導出部５ａを細長の切欠部８における第１の保持部８ａで挟んで保持して、カバー体６を位置決めすると、一方の充電コネクタ２がカバー体６から突出し、他方の充電コネクタ３はカバー体６によって隠蔽された状態になる。したがって、図１に示すように、一方の充電コネクタ２にのみ一方の携帯電話機ＰＡのＦＯＭＡ方式の外部接続端子ｐａを接続して、一方の携帯電話機ＰＡに内蔵されているバッテリー（図示省略）に充電することができる。
【００２４】
電源コネクタ４の先端プラグ（図示省略）を前記の電源に適宜接続した状態で、図６、図７に示すように、カバー体６を左方向に移動させて、位置決め機構７の筒状の電源コネクタ導出部５ａを細長の切欠部８における第２の保持部８ｂで挟んで保持して、カバー体６を位置決めすると、他方の充電コネクタ３がカバー体６から突出し、一方の充電コネクタ２はカバー体６によって隠蔽された状態になる。したがって、図６に示すように、他方の充電コネクタ３にのみ他方の携帯電話機ＰＢのｉＰｈｏｎｅの外部接続端子ｐｂを接続して、他方の携帯電話機ＰＢに内蔵されているバッテリー（図示省略）に充電することができる。
【００２５】
また、図８に示すように、位置決め機構７の筒状の電源コネクタ導出部５ａを細長の切欠部８における第３の保持部８ｃで挟んで保持して、カバー体６を位置決めすると、各充電コネクタ２，３が、それぞれカバー体６の左右両端部から半分程度突出した状態になるので、各充電コネクタ２，３への携帯機器ｐＡ，ＰＢの外部接続端子ｐａ，ｐｂの接続が不能な状態を確保することもできる。
【００２６】
このように、本考案に係る携帯機器用充電装置１は、複数機種の携帯機器ＰＡ，ＰＢの外部接続端子ｐａ，ｐｂを、二つの充電コネクタ２，３に各別に接続して充電することが可能であるものの、外部接続端子ｐａ，ｐｂの二つの充電コネクタ２，３への接続は、カバー体６の進退により交互に突没する各充電コネクタ２，３において、突出する側の充電コネクタ２または３にのみ可能であって、没入している側の充電コネクタ２または３には不能である。したがって、外部接続端子ｐａ，ｐｂの二つの充電コネクタ２，３への同時接続による充電が回避されることで、充電コネクタ２，３の排他使用が可能になり、図示されていない内蔵バッテリーの安全面や充電管理面の保全を実現することができる。
【００２７】
また、位置決め機構７によって、二つの充電コネクタ２，３が交互に突没する二つの位置のそれぞれで、カバー体６が本体部５に位置決めされるので、一方の充電コネクタ２を、充電を必要とする携帯機器ＰＡの外部接続端子ｐａの接続可能な突出状態に保持し、他方の充電コネクタ３を、携帯機器ＰＢの外部接続端子ｐｂの接続が不能な没入状態に保持して、カバー体６と本体部５との相対移動を阻止したり、他方の充電コネクタ３を、充電を必要とする携帯機器ＰＢの外部接続端子ｐｂの接続可能な突出状態に保持し、一方の充電コネクタ２を、携帯機器ＰＡの外部接続端子ｐａの接続が不能な没入状態に保持して、カバー体６と本体部５との相対移動を阻止することができるので、一方の充電コネクタ２と携帯機器ＰＡの外部接続端子ｐａとの接続不変の状態および他方の充電コネクタ３と携帯機器ＰＢの外部接続端子ｐｂとの接続不変の状態が確保できるとともに、確保された接続不変の状態がカバー体６と本体部５との相対移動によって損なわれる不都合を回避することができる。
【００２８】
さらに、位置決め機構７が、筒状の電源コネクタ導出部５ａを第１ないし第３の保持部８ａ，８ｂ，８ｃにより前記三つの位置のそれぞれで各別に保持する簡単で製作容易な構造からなるにもかかわらず、一方の充電コネクタ２と携帯機器ＰＡの外部接続端子ｐａとの接続不変の状態および他方の充電コネクタ３と携帯機器ＰＢの外部接続端子ｐｂとの接続不変の状態が確実に確保できるとともに、確保された接続不変の状態がカバー体６と本体部５との相対移動によって損なわれる不都合を確実に回避することができる。また、一方の充電コネクタ２への携帯機器ＰＡの外部接続端子ｐａの接続が不能な状態および他方の充電コネクタ３への携帯機器ＰＢの外部接続端子ｐｂの接続が不能な状態を確実に確保することもできる。
【００２９】
前記実施形態では、複数機種の携帯電話機ＰＡ，ＰＢにおいて、一方の携帯電話機ＰＡのＦＯＭＡ方式の外部接続端子ｐａが接続可能な構造の一方の充電コネクタ２と、他方の携帯電話機ＰＢのｉＰｈｏｎｅの外部接続端子ｐｂが接続可能な構造の他方の充電コネクタ３とを備えた携帯機器用充電装置１について説明しているが、前記以外の方式の外部接続端子が接続可能な構造の充電コネクタを備えた携帯機器用充電装置、例えばＣＤＭＡ（登録商標）方式の携帯電話や携帯音楽プレーヤーなどの他の携帯機器の外部接続端子が接続可能な構造の充電コネクタを備えた携帯機器用充電装置として適用することが可能である。
【産業上の利用可能性】
【００３０】
携帯機器用充電装置１は、携帯電話機，携帯音楽プレーヤーなどを含む携帯機器の内蔵バッテリーの電圧低下に際して、当該バッテリーの充電のために使用される。
【符号の説明】
【００３１】
１  携帯機器用充電装置
２  一方の充電コネクタ
３  他方の充電コネクタ
４  電源コネクタ
５  本体部
５ａ  筒状の電源コネクタ導出部
６  カバー体
７  位置決め機構
８  切欠部
８ａ  第１の保持部
８ｂ  第２の保持部
８ｃ  第３の保持部
ＰＡ  一方の携帯電話機（一方の携帯機器）
Ｐａ  一方の携帯電話機の外部接続端子
ＰＢ  他方の携帯電話機（他方の携帯機器）
Ｐｂ  他方の携帯電話機の外部接続端子
【図１】
0003166075.tif 000003
【図２】
0003166075.tif 000004
【図３】
0003166075.tif 000005
【図４】
0003166075.tif 000006
【図５】
0003166075.tif 000007
【図６】
0003166075.tif 000008
【図７】
0003166075.tif 000009
【図８】
0003166075.tif 000010